(57)【要約】【課題】乾燥終了後の衣類にしわが付くのを防止して仕上がり状態をよくする。【解決手段】衣類を収容する回転槽５と、前記回転槽５に乾燥用空気を供給する送風手段２６と、前記回転槽５に供給する空気の温度あるいは湿度を調節する制御手段とを備え、乾燥終了後に送風の温度を室温より低くして前記回転槽５へ供給し、衣類を冷却するようにしたものである。【選択図】  図４
2005027732.tif 000002
【特許請求の範囲】
【請求項１】
衣類を収容する乾燥室と、前記乾燥室に乾燥用空気を供給する送風手段と、前記乾燥室に供給する空気の温度あるいは湿度を調節する制御手段とを備え、前記制御手段は、乾燥終了後に送風の温度を室温より低くして前記乾燥室へ供給し、衣類を冷却するようにした衣類乾燥機。
【請求項２】
制御手段は、室温が所定温度より高いとき、乾燥終了後に供給する送風の温度を前記所定温度より低くなるようにした請求項１記載の衣類乾燥機。
【請求項３】
制御手段は、乾燥終了後に送風の温度を段階的に低下させて室温または所定温度より低くなるようにした請求項１または２記載の衣類乾燥機。
【請求項４】
制御手段は、乾燥終了後に送風の湿度を所定湿度以下に保つようにした請求項１〜３のいずれか１項に記載の衣類乾燥機。
【請求項５】
衣類の素材を判別する衣類判別手段を設け、制御手段は、乾燥終了後に送風の温度あるいは湿度を前記衣類判別手段の出力に応じて制御するようにした請求項１記載の衣類乾燥機。
【請求項６】
ヒートポンプ装置を設け、衣類乾燥用の温風と衣類冷却用の冷風の供給に前記ヒートポンプ装置を用いた請求項１〜５のいずれか１項に記載の衣類乾燥機。
【請求項７】
ヒートポンプ装置に冷媒の流れる方向を切り替える切替弁を設け、放熱器によって冷却された空気を乾燥室へ供給するようにした請求項６記載の衣類乾燥機。
【請求項８】
ヒートポンプ装置の冷媒に二酸化炭素（ＣＯ２）を用いた請求項６記載の衣類乾燥機。
【請求項９】
乾燥室を回転可能な回転槽で構成するとともに、前記回転槽を収容した水槽を設け、前記水槽に供給された洗濯液によって洗濯可能に構成した請求項１〜８のいずれか１項に記載の衣類乾燥機。
【発明の詳細な説明】
【０００１】
【発明の属する技術分野】
本発明は、衣類の乾燥を行う衣類乾燥機に関するものである。
【０００２】
【従来の技術】
従来、洗濯・すすぎ・脱水・乾燥を同一の装置で行う洗濯乾燥機は、図５に示すように、筐体５１内に回転可能に設けられ、回転軸が水平に取り付けられた横軸型の回転槽５２と、この回転槽５２を回転駆動させる駆動モータ５３と、ヒータ５４と、上記ヒータ５４から回転槽５２、そしてヒータ５４の順に空気を循環させる循環ダクト５５を有している。回転槽５２の内壁には、回転とともに洗濯・乾燥対象物（以下、衣類という）５６を持ち上げて落下させるバッフル（図示せず）と、洗濯水および乾燥空気が出入りする通気孔５７を多数設けている。
【０００３】
上記構成において、乾燥行程では、駆動モータ５３を回して回転槽５２を回転させ、バッフルで衣類５６を撹拌しながら、送風機５８による送風とヒータ５４による発熱により、往路口５９を通じて回転槽５２内へ温風を送り込む。この温風は、衣類５６の水分を奪った後、水槽６０の復路口６１を通って循環ダクト５５に戻る。循環ダクト５５内で衣類５６の水分を奪って湿気を含んだ温風が、循環ダクト５５内を通過しているとき給水弁６２が開き、循環ダクト５５内に除湿用の冷却水が入れられて、冷却される。
【０００４】
湿気を含んだ温風はこの冷却により除湿されて送風機５８に戻る。冷却水と、この冷却水で除湿された結露水は排水口６３を通って筐体５１の外に出される。上記送風機５８、ヒータ５４、往路口５９、回転槽５２、水槽６０、復路口６１、循環ダクト５５で温風を矢印のように循環させることによって、回転槽５２内の衣類５６を乾燥させることができる。そして、乾燥が終わるとそのまま放置して任意に取り出すのが一般的である。また、ヒータへの通電を停止し送風に切り替えて、衣類を冷却することも考えられている（例えば、特許文献１参照）。
【０００５】
【特許文献１】
実公平２−２３１９号公報
【０００６】
【発明が解決しようとする課題】
しかしながら、上記従来の構成では、乾燥させた衣類を収容している回転槽内の温度は、徐々にしか下がらず時間がかかるとともに、温度が下がると湿度が上昇して衣類を湿らせ、乾燥後の衣類が折り重なった状態でしわが付いてしまうという問題があった。また、乾燥後も衣類を動かすことで捻れが加わり、この捻れによるしわが付いてしまうという課題を有していた。
【０００７】
本発明は、上記従来の課題を解決するもので、乾燥終了後の衣類にしわが付くのを防止して仕上がり状態をよくすることを目的としている。
【０００８】
【課題を解決するための手段】
上記の課題を解決するために本発明は、乾燥終了後に送風の温度を室温より低くして回転槽へ供給し、衣類を冷却するようにしたものである。
【０００９】
これにより、乾燥時の温風供給により加熱されている衣類の温度を急速に低下させることができ、乾燥した衣類へのしわの固着を防止することができる。
【００１０】
【発明の実施の形態】
請求項１に記載の発明は、衣類を収容する乾燥室と、前記乾燥室に乾燥用空気を供給する送風手段と、前記乾燥室に供給する空気の温度あるいは湿度を調節する制御手段とを備え、前記制御手段は、乾燥終了後に送風の温度を室温より低くして前記乾燥室へ供給し、衣類を冷却するようにしたものであり、乾燥時の温風供給により加熱されている衣類の温度を急速に低下させることができ、乾燥した衣類へのしわの固着を防止することができる。したがって、乾燥後の衣類にアイロンがけを行う場合の作業が容易になる。また、乾燥後の衣類を取り出すまでの時間を短縮することができる。
【００１１】
請求項２に記載の発明は、上記請求項１に記載の発明において、制御手段は、室温が所定温度より高いとき、乾燥終了後に供給する送風の温度を前記所定温度より低くなるようにしたものであり、室温の状況に応じて最適な温度の送風で冷却することができる。つまり、室温の高い夏季は温度の低い冷風を生成供給し、室温の低い冬季は外気を有効に利用して衣類を冷却することができる。
【００１２】
請求項３に記載の発明は、上記請求項１または２に記載の発明において、制御手段は、乾燥終了後に送風の温度を段階的に低下させて室温または所定温度より低くなるようにしたものであり、冷風を吹き込むことで機械が急激に冷やされて、部品が熱変形し回転等の動きに支障をきたしたり、樹脂等の部品の寿命に影響を与えたりすることなくなる。
【００１３】
請求項４に記載の発明は、上記請求項１〜３に記載の発明において、制御手段は、乾燥終了後に送風の湿度を所定湿度以下に保つようにしたものであり、衣類から湿気を取りしわの固着を防止することができる。
【００１４】
請求項５に記載の発明は、上記請求項１に記載の発明において、衣類の素材を判別する衣類判別手段を設け、制御手段は、乾燥終了後に送風の温度あるいは湿度を前記衣類判別手段の出力に応じて制御するようにしたものであり、衣類の素材に最適なしわを固着させない条件で温度を下げることができ、しわの固着を防止することができる。
【００１５】
請求項６に記載の発明は、上記請求項１〜５に記載の発明において、ヒートポンプ装置を設け、衣類乾燥用の温風と衣類冷却用の冷風の供給に前記ヒートポンプ装置を用いたものであり、衣類の乾燥時には温風を用い、衣類の冷却時は冷風を用いることで、乾燥用のヒータを使うことなく、ヒータより省エネで乾燥でき、構造も簡単になる。
【００１６】
請求項７に記載の発明は、上記請求項６に記載の発明において、ヒートポンプ装置に冷媒の流れる方向を切り替える切替弁を設け、放熱器によって冷却された空気を乾燥室へ供給するようにしたものであり、衣類の乾燥時には温風を用い、衣類の冷却時は冷風を用いることで、乾燥用のヒータを使うことなく、ヒータより省エネで乾燥でき、構造も簡単になる。
【００１７】
請求項８に記載の発明は、上記請求項６に記載の発明において、ヒートポンプ装置の冷媒に二酸化炭素（ＣＯ２）を用いたものであり、ヒートポンプ装置の冷凍サイクルの放熱側で超臨界状態をつくることで、高温の乾燥用空気を得ることができるので、小型で効率よく衣類を乾燥することができる。
【００１８】
請求項９に記載の発明は、上記請求項１〜８に記載の発明において、乾燥室を回転可能な回転槽で構成するとともに、前記回転槽を収容した水槽を設け、前記水槽に供給された洗濯液によって洗濯可能に構成したものであり、衣類の洗濯から乾燥まで合理的に行うことができる。
【００１９】
【実施例】
以下、本発明の実施例を図面を参照して説明する。
【００２０】
（実施例１）
図１から図４は本発明の実施例１である洗濯機能を付加した衣類乾燥機を示し、筐体１の内部に複数のサスペンション２によって弾性支持された円筒状の水槽３と、この水槽３の内部に設けられた衣類等４を収納する円筒状で横軸型の回転可能な乾燥室としての回転槽５と、この回転槽５を回転駆動させる駆動モータ６と、放熱器７と吸熱器８と圧縮機２７を有し冷媒を用いたヒートポンプ装置を備えている。なお、回転槽５の軸は水平に対して５〜４５度、前方高位に傾斜している。それにともない、水槽３も傾斜して配置している。
【００２１】
サスペンション２は、洗濯、脱水時の振動を吸収するために設けられており、バネなどでできている。また、筐体１、水槽３、回転槽５の前面には、それぞれ衣類等４を出し入れする開口部１ａ、３ａ、５ａを有し、筐体１の開口部１ａにはこれを開閉する扉３５が設けられている。また、水槽３の開口部３ａは、筐体１の開口部１ａとベローズ２０によって水が漏れないように水密に連結されている。水槽３の底部には洗濯水を排出する排水口９を有し、排水弁１０に連結されている。また、回転槽５の内壁には、回転とともに衣類等４を持ち上げて落下させるバッフル（図示せず）と、洗濯水および乾燥空気を回転槽５の外へ流す通気孔５ｂを多数設けている。
【００２２】
ヒートポンプ装置は、水槽３を前方高位に傾けたことによって形成された水槽３と筐体１の背面１ｂの間の下部に設けられ、放熱器７および吸熱器８は、筐体１の背面１ｂに平行方向に並んで配置され、前記圧縮機２７は、水槽３の下部のサスペンション２と熱交換器である吸熱器８と放熱器７の間である筐体１の側面近くに配置されている。このような構成により、筐体１内のデッドスペースを有効に利用することができる。
【００２３】
放熱器７から回転槽５へ空気を流す往路と、回転槽５から吸熱器８へ空気を流す復路からなる循環風路を形成し、前記往路は放熱器７に図２に示す矢印ｄ方向に空気を流す放熱器風路１３と往路ダクト２１から構成され、前記復路は吸熱器８に矢印ｃ方向に空気を流す吸熱器風路１２と復路ダクト２２から構成されている。前記往路ダクト２１は筐体１の上面と側面、および水槽３とがなす空間に設けられている。このような構成により筐体１内のデッドスペースを有効に利用することができる。
【００２４】
前記吸熱器風路１２と前記放熱器風路１３は、筐体１の背面１ｂに沿って平行方向に並んで配置し、吸熱器風路１２と放熱器風路１３を循環ダクト１５によって連通するように循環風路が構成されている。このような構成によって、風路の圧力損失を小さくすることができる。
【００２５】
前記放熱器風路１３と前記往路ダクト２１、および前記復路ダクト２２と前記吸熱器風路１２は、それぞれ伸縮自在な接続手段によって連通されている。このような構成をしているため、回転槽５の振動がヒートポンプ装置へ直接伝わらないので、信頼性および耐久性を向上できる。ここで、伸縮自在な接続手段とは、例えば、可撓性を有した蛇腹構造の伸縮可能なフレキシブルホース２３、２４である。
【００２６】
２６は送風手段を構成する乾燥用の送風機で、放熱器７と吸熱器８との間、つまり循環ダクト１５部分に配置されており、放熱器７によって加熱された温風を回転槽５内へ供給する。このような構成により、コンパクトに送風機２６を搭載することができる。
【００２７】
送風機２６によって空気を回転槽５内へ供給する水槽３の前方高位に設けられた往路口１４と、送風機２６によって回転槽５内へ供給された空気を通気孔５ｂを介して回転槽５外へ排出する水槽３の背面部に設けられた復路口１６があり、空気は回転槽５の前方高位から後方下位に矢印ｅ方向に流れるように構成されている。
【００２８】
なお、往路ダクト２１と復路ダクト２２を伸縮自在な接続手段の一部として構成し、放熱器風路１３と往路口１４、および復路口１６と吸熱器風路１３を直接接続してもよい。
【００２９】
また、吸熱器風路１２の復路口１６側には、空気中の異物を除去するために、合繊ネット等からなるエアフィルター２５が着脱可能に設けられている。これにより、運転中に回転槽５内の衣類等４から発生するリント等が吸熱器８の放熱フィンに付着することを防止することができる。さらに、吸熱器風路１２の下流側の下部、つまり、吸熱器風路１２の循環ダクト１５側には、除湿水を排出する排出口３１を設けている。
【００３０】
図４は本実施例１のシステム概念図で、乾燥用空気の流れとヒートポンプサイクルを示す。図４の矢印で示すように、乾燥用空気は送風機２６によって送風され、放熱器７を通り加熱された空気は往路ダクト２１を通り往路口１４から回転槽５内に矢印ｆ方向へ供給される。回転槽５内の衣類等４を通過し湿気を帯びた空気は、復路口１６から復路ダクト２２に矢印ｇ方向へ排出され、吸熱器８に至る。吸熱器８を通過し除湿された空気は、循環ダクト１５を介して送風機２６に至り、再び放熱器７に送風されて循環する。
【００３１】
また、ヒートポンプサイクルは、冷媒を圧縮する圧縮機２７と、圧縮された冷媒の熱を放熱する放熱器７と、高圧の冷媒の圧力を減圧するための絞り弁や毛細管等からなる絞り手段２８と、減圧されて低圧となった冷媒が周囲から熱を奪う吸熱器８と、冷媒の流れを切り換えて、放熱器７を吸熱器として、吸熱器８を放熱器として働かせる切替弁３０とを冷媒が循環するように管路２９で連結するように構成されたものである。
【００３２】
冷媒は矢印ｈ方向、または、矢印ｊ方向に管路２９を流れて循環し、ヒートポンプサイクルを形成する。ここで、炭酸ガスを冷媒として用いることで、ヒートポンプサイクルの冷凍サイクルの放熱側で超臨界状態をつくることにより高温の熱を放出することができるので、衣類等４の乾燥に適している。なお、冷媒にはフロン系のものを用いてもよい。
【００３３】
以上のような構成において、次にその動作について説明する。まず、洗浄工程では、排水弁１０を閉じた状態で給水弁（図示せず）を制御して給水ホース（図示せず）から水槽３内に所定水位まで給水を行い、続いて、衣類等４と洗剤と洗浄水の入った回転槽５を駆動モータ６によって回転させて洗浄を行う。所定時間後、駆動モータ６が停止し、排水弁１０を開放して洗浄後の汚れた水を排水口９から筐体１外へ排出する。このとき、復路ダクト２２内には、洗浄水が一部浸入するが、復路ダクト２２は途中経路を上方に持ち上げているので、吸熱器８に洗浄水が浸入することはない。
【００３４】
次のすすぎ工程では、洗浄工程と同様に再び水槽３内に給水し、駆動モータ６によって回転槽５を回転させて衣類等４のすすぎを行う。ここでも、吸熱器８に洗浄水が浸入することはない。脱水工程では、排水弁１０を開放してすすぎ後の水を排水口９より筐体１外に排出する。駆動モータ６によって回転槽５を高速に回転して衣類等４の脱水が行われる。
【００３５】
前記洗浄、すすぎ、脱水工程時には、回転槽５の回転振動によって水槽３全体に振動が生じる。しかし、水槽３は複数のサスペンション２により弾性支持されているため振動は吸収され、筐体１の振動は抑制される。また、水槽３の振動は放熱器風路１３と往路ダクト２１、および復路ダクト２２と吸熱器風路１２が伸縮可能なフレキシブルホース２３、２４によって接続されているので振動が直接伝わることはなく、ヒートポンプサイクルに与える影響はない。
【００３６】
以上の洗濯運転が終了した後の乾燥工程では、まず、ヒートポンプ装置の圧縮機２７を作動させると冷媒が圧縮され、高温高圧の状態になった冷媒が矢印ｈ方向に流れ、放熱器７において熱を放出する。送風機２６によって送風された乾燥用空気は、放熱器風路１３を通り放熱器７において冷媒と熱交換することにより加熱されて高温の空気になり、フレキシブルホース２３、往路ダクト２１を通過し往路口１４から回転槽５内に供給される。一方、冷媒は常温高圧の状態になる。この間に回転槽５は駆動モータ６によって正転または停止、反転を適時組み合わせて回転しており、衣類等４は攪拌されている。
【００３７】
回転槽５内に送風された空気は、回転槽５内の雰囲気温度を高めるとともに、衣類等４の乾燥を促し、水分を吸収する。水分を吸収して湿った空気は、回転槽５の通気孔５ｂを通り復路口１６から復路ダクト２２、フレキシブルホース２４を通過後、エアフィルター２５によってリント等が除去され、吸熱器風路１２に至る。
【００３８】
前記常温高圧の状態の冷媒は、絞り弁や毛細管等２８によって急激に減圧されて、吸熱器８に至り、吸熱器８を通過する湿った空気から熱を奪い取り、圧縮機２７に戻り圧縮される。一方、湿った空気は冷媒によって熱を奪われたことによって除湿され、乾いて冷えた空気と除湿水に分離する。
【００３９】
分離した除湿水は吸熱器風路１２の下流側下部、つまり、吸熱器風路１２の循環ダクト１５側に設けられた排出口３１より筐体１外へ排出され、乾いて冷えた空気は循環ダクト１５を通り送風機２６によって放熱器風路１３に送風され、再び放熱器７において加熱されて、フレキシブルホース２３、往路ダクト２１を通過し往路口１４から回転槽５内へと循環する。衣類が乾燥末期となり、乾燥率が上昇すると回転槽５内部の温度は上昇し、乾燥終了センサ（図示せず）が検知すると、乾燥は終了する。
【００４０】
以上の乾燥運転が終了した後の冷却工程では、まず、切替弁３０を切り換える。ヒートポンプ装置の圧縮機２７で冷媒が圧縮され、高温高圧の状態になった冷媒が矢印ｊの方向に流れ、吸熱器８において熱を放出し、放熱器８において熱を吸収するようになる。すなわち、送風機２６によって送風された冷却用空気は、放熱器風路１３を通り放熱器７において冷媒と熱交換することにより冷却されて低温の空気になり、フレキシブルホース２３、往路ダクト２１を通過し往路口１４から回転槽５内に供給される。回転槽５内に送風された空気は、回転槽５内の雰囲気温度を下げるとともに、衣類等４を冷却する。
【００４１】
衣類を冷却して温まった空気は、回転槽５の通気孔５ｂを通り復路口１６から復路ダクト２２、フレキシブルホース２４を通過後、エアフィルター２５によってリント等が除去され、吸熱器風路１２を通過して、吸熱器８に至り、吸熱器８で加熱され、温まった空気は循環ダクト１５を通り送風機２６によって放熱器風路１３に送風され、再び放熱器７において冷却されて、フレキシブルホース２３、往路ダクト２１を通過し往路口１４から回転槽５内へと循環する。この間に回転槽５は駆動モータ６によって正転または停止、反転を適時組み合わせて回転しており、衣類等４は攪拌されている。
【００４２】
このように、衣類の乾燥終了後、送風温度を室温以下に下げて衣類を冷却することで、乾燥後に停止中または衣類に機械力を与え続けることでしわが付くことを防ぎ、乾燥後の衣類の仕上がり状態を向上することができる。また、乾燥後の衣類の取り出すまでの時間を短縮できる。
【００４３】
また、ヒートポンプサイクルに用いることで、衣類の乾燥時には温風を用い、衣類の冷却時は冷風を用いることで、乾燥用のヒータを使うことなく、乾燥工程をヒータより省エネで乾燥でき、構造も簡単になる。
【００４４】
また、ヒートポンプサイクルに用いる冷媒は、二酸化炭素（ＣＯ２）であるため、ヒートポンプサイクルの冷凍サイクルの放熱側で超臨界状態をつくることで、高温の乾燥用空気を得ることができるので、小型で効率よく衣類を乾燥することができる。
【００４５】
なお、前記洗浄、すすぎ、脱水、乾燥、および冷却の各工程における種々の制御は、制御手段（図示せず）により一般的な技術によって行われる。
【００４６】
（実施例２）
この実施例は、室温を検知する室温検知手段（図示せず）を設け、制御手段は、室温が所定温度より高いとき、乾燥終了後に供給する送風の温度を前記所定温度より低くなるようにしたものである。他の構成は実施例１と同じであり、説明を省略する。
【００４７】
室温の高い夏季は乾燥室に外気を導入するだけでは効率よく衣類等を冷却することができないことから、衣類等を効率よく冷却するための所定温度を、例えば１０〜２０℃の範囲、好ましくは１０℃に設定し、室温がこの所定温度より高いときは、室温検知手段の出力に基づいてヒートポンプ装置を制御し、乾燥終了後に供給する送風の温度を前記所定温度より低い冷風を生成供給するものである。
【００４８】
また、逆に室温の低い冬季は乾燥室に外気を導入することで衣類等を冷却することが可能である。したがって、室温がこの所定温度より低いときは、室温検知手段の出力に基づいてヒートポンプ装置を制御するものである。これにより、室温の状況に応じて最適な温度の送風で冷却することができる。つまり、温度の低い室温の低い冬季は外気を有効に利用して衣類を冷却することができ省エネ運転を可能にするものである。
【００４９】
（実施例３）
この実施例は、乾燥終了後に送風の温度を段階的に低下させて室温または所定温度より低くなるように制御するものである。他の構成は実施例１と同じであり、説明を省略する。
【００５０】
この構成によれば、急激な冷気の供給による不具合を防止することができる。すなわち、冷風を吹き込むことで機械が急激に冷やされて、部品が熱変形し回転等の動きに支障をきたしたり、樹脂等の部品の寿命に影響を与えたりすることなくなる。
【００５１】
（実施例４）
この実施例は、乾燥終了後に送風の湿度を所定湿度以下に保つように制御するものである。他の構成は実施例１と同じであり、説明を省略する。
【００５２】
この構成によれば、乾燥後に衣類から出る湿気を放置していると衣類にしわが固着するが、湿度を低湿に保つことで衣類から湿気を取りしわの固着を防止できる。
【００５３】
（実施例５）
この実施例は、衣類の素材を判別する衣類判別手段を設け、乾燥終了後に送風の温度あるいは湿度を前記衣類判別手段の出力に応じて制御するようにしたものである。他の構成は実施例１と同じであり、説明を省略する。
【００５４】
この構成によれば、衣類の素材に応じて制御することで温湿度を乾燥衣類の素材に合ったしわを固着させない条件で衣類温度を下げることで、しわの固着を防止することができる。
【００５５】
また本発明は、乾燥室を回転可能な回転槽で構成するとともに、前記回転槽を収容した水槽を設け、前記水槽に供給された洗濯液によって洗濯可能に構成した衣類乾燥機においても有効なものであり、衣類の洗濯から乾燥まで合理的に行うことができる。
【００５６】
【発明の効果】
以上のように本発明によれば、乾燥後の衣類にしわを付けることなく仕上がり状態をよくすることができる。
【図面の簡単な説明】
【図１】本発明の実施例１における衣類乾燥機の外観斜視図
【図２】同衣類乾燥機の一部切欠斜視図
【図３】同衣類乾燥機の要部断面図
【図４】同衣類乾燥機のシステム概念図
【図５】従来の洗濯乾燥機の断面図
【符号の説明】
１  筐体
２  サスペンション
３  水槽
４  衣類等
５  回転槽
６  駆動モータ
７  放熱器
８  吸熱器
１２  吸熱器風路
１３  吸熱器風路
１４  往路口
１５  循環ダクト
１６  復路口
２１  往路ダクト
２２  復路ダクト
２３  フレキシブルホース
２４  フレキシブルホース
２５  エアフィルター
２６  送風機
２７  圧縮機
２８  絞り手段
２９  管路
３０  切替弁
３１  排出口
【図１】
2005027732.tif 000003
【図２】
2005027732.tif 000004
【図３】
2005027732.tif 000005
【図４】
2005027732.tif 000006
【図５】
2005027732.tif 000007